(57)【特許請求の範囲】
【請求項１】
水源の水面上を浮遊し、水面下の水を毛細管作用により吸収して水面より上方に水膜を形成する水膜形成部材が複数配置され、前記水膜形成部材に太陽光が照射されることにより前記水膜が蒸発して水蒸気団を生成する水蒸気団生成装置と、この水蒸気団生成装置の周囲に配置された大気加熱制御装置とからなる水蒸気団生成移動上昇装置であって、前記大気加熱制御装置は、表面に彩色が施された発熱部材が複数配置され、この発熱部材に太陽光が照射されたときの、照射される太陽光からのエネルギー吸収率を制御して、前記水蒸気団生成装置により生成される水蒸気団を含む大気の移動方向、上昇高度を制御することを特徴とする水蒸気団生成移動上昇装置。
【請求項２】
前記水膜形成部材は、空気を充填することが可能な第１の中空体に毛細管作用を有するシートが取り付けられて形成されていることを特徴とする請求項１記載の水蒸気団生成移動上昇装置。
【請求項３】
前記第１の中空体は複数設けられ、前記第１の中空体のそれぞれに空気挿入排出口が設けられていることを特徴とする請求項２記載の水蒸気団生成移動上昇装置。
【請求項４】
前記発熱部材は、空気を充填することが可能な第２の中空体から形成されていることを特徴とする請求項１から３のいずれかに記載の水蒸気団生成移動上昇装置。
【請求項５】
前記第２の中空体は、その表面に断熱材が設けられ、前記断熱材に対して彩色が施されていることを特徴とする請求項４記載の水蒸気団生成移動上昇装置。
【請求項６】
前記第２の中空体は複数設けられ、前記第２の中空体のそれぞれに空気挿入排出口が設けられ、前記第２の中空体のそれぞれに彩色が施されていることを特徴とする請求項４または５記載の水蒸気団生成移動上昇装置。
【請求項７】
所定の水域において、複数の前記水膜形成部材と前記発熱部材とが配設されるとともに、前記所定の水域とは異なる他の水域において、複数の前記水膜形成部材と非発熱部材とが配設されていることを特徴とする請求項１から６のいずれかに記載の水蒸気団生成移動上昇装置。
【請求項８】
請求項１から請求項７のいずれかに記載の水蒸気団生成移動上昇装置を用いて、水蒸気団を含む大気を上昇、移動させて雨滴を生成し、人工降雨を降らせることを特徴とする人工降雨の発生方法。
【発明の詳細な説明】
【技術分野】
【０００１】
本発明は、人工降雨を効果的に発生させるのに用いられる水蒸気団生成移動上昇装置と、この水蒸気団生成移動上昇装置を用いた人工降雨の発生方法に関する。
【背景技術】
【０００２】
干ばつ対策として、人工降雨が試みられている。しかし、これまで行われている人工降雨は、自然に発生した雲粒に対して、ドライアイスを散布するなどして人為的に降雨させるものであるため、雲粒の発生を待つ必要があり、偶然に左右されるため、必要な時期に必要な場所に対して効果的に人工降雨を発生させることは困難であった。人工降雨に関する技術の一例が、特許文献１に記載されている。
また、特許文献２には、浅い海水溜まりを形成し、太陽光を照射して水蒸気を蒸発させ、上昇気流を発生させる技術が記載されている。
【０００３】
【特許文献１】特開２００３−８８２５７号公報
【特許文献２】特開昭５７−１５０３２８号公報
【発明の開示】
【発明が解決しようとする課題】
【０００４】
人工降雨技術に関して、本発明者は、特願２００８−７１４０６号において、毛細管作用を有する部材に対して太陽光を照射して、水蒸気団を大規模に発生させることが可能な水蒸気団生成装置を発明し出願している。
【０００５】
しかし、従来の技術では、生成される水蒸気団の生成量を制御することが難しく、また、毛細管作用によって海水を吸い上げると、吸い上げられた海水が蒸発した後に塩分が部材に付着して毛細管としての機能が低下してしまうが、この塩分を除去するためには多大の労力を必要とする。
【０００６】
人工降雨を効果的に発生させるためには、生成された水蒸気団を必要な高さにまで上昇させることが重要かつ必要となる。また、状況によって、人工降雨に好適な水蒸気団の上昇高さは変化するものであることから、水蒸気団の上昇高さを制御できることが必要である。
【０００７】
ところが、従来の技術では、生成された水蒸気団を上昇気流に乗せるための水蒸気の移動や、水蒸気団の上昇高さを制御することについては明示されていない。さらに、台風の襲来などによって荒れた気象条件のものとでは、水蒸気団を生成する装置を退避させることも必要となる。
【０００８】
本発明は、このような事情を考慮してなされたもので、生成された水蒸気団を必要な方向に移動させ、あるいは必要な高さに上昇させるとともに、水蒸気団を生成するための毛細管の機能を持続させることが可能な水蒸気団生成移動上昇装置と、この水蒸気団生成移動上昇装置を用いて人工降雨を効果的に発生させることが可能な人工降雨の発生方法を提供することを目的とする。
【課題を解決するための手段】
【０００９】
以上の課題を解決するために、本発明の水蒸気団生成移動上昇装置は、水源の水面上を浮遊し、水面下の水を毛細管作用により吸収して水面より上方に水膜を形成する水膜形成部材が複数配置され、前記水膜形成部材に太陽光が照射されることにより前記水膜が蒸発して水蒸気団を生成する水蒸気団生成装置と、この水蒸気団生成装置の周囲に配置された大気加熱制御装置とからなる水蒸気団生成移動上昇装置であって、前記大気加熱制御装置は、表面に彩色が施された発熱部材が複数配置され、この発熱部材に太陽光が照射されたときの、照射される太陽光からのエネルギー吸収率を制御して、前記水蒸気団生成装置により生成される水蒸気団を含む大気の移動方向、上昇高度を制御することを特徴とする。
【００１０】
表面に彩色が施された発熱部材に太陽光が照射されて熱に変換され、水膜が蒸発して生成された水蒸気団を含む大気を加熱することにより、水蒸気団を適度な高さまで上昇させることができるため、効果的に人工降雨を発生させることができる。
【００１１】
発熱部材の色彩によって、照射される太陽光からの光エネルギー吸収率が変わるため、降雨計画地域や気象状況などに応じて発熱部材の色彩を決定することにより、照射される太陽光からの光エネルギー吸収率を変化させて発熱率を制御することができ、これにより、水蒸気団生成装置により生成される水蒸気団の上昇高度を制御することができる。
【００１２】
本発明においては、前記水膜形成部材は、空気を充填することが可能な第１の中空体に毛細管作用を有するシートが取り付けられて形成することができる。
水膜形成部材をこのように形成すると、第１の中空体に空気を充填したときは、第１の中空体は水面上に浮いて太陽光が照射され、水膜形成部材によって形成された水膜が蒸発して水蒸気に変換されるとともに、第１の中空体から空気を抜いたときは、第１の中空体は水面下に沈んで太陽光が照射されにくくなり、水蒸気の発生が抑制される。そのため、第１の中空体への空気の充填量を調整するという簡単な操作で、水蒸気の発生量を制御することができる。
【００１３】
また、水膜形成部材を海水面に浮かせて使用する場合には、水蒸気の発生に伴って水膜形成部材に塩分が残留して付着し、これを放置すると毛細管が有効に機能せず、水膜形成に悪影響を及ぼすこととなるため、塩分を除去する作業が必要となるが、第１の中空体から空気を抜くと、水膜形成部材が水中に没するようになり、水膜形成部材に付着した塩分は水中で溶解するため、塩分を除去する作業が不要となって利便性が高い。
【００１４】
さらに、水膜形成部材は、第１の中空体から空気を抜くと体積が減少し、かつ柔軟になるため、折りたたみやすくなる。そのため、台風が襲来するときのように、悪天候となる場合には、第１の中空体から空気を抜いて、水膜形成部材を容易に退避させることができる。
【００１５】
本発明においては、前記第１の中空体は複数設けられ、前記第１の中空体のそれぞれに空気挿入排出口を設けることができる。
第１の中空体が複数設けられていることによって、複数の第１の中空体の中から、空気を充填するものと、空気を抜くものとを選択すると、空気を充填された中空体だけが水面上に浮いて水蒸気を発生し、空気が抜かれた中空体は水中に没して水蒸気を発生しない。この中空体のそれぞれに空気挿入排出口が設けられているため、この操作は中空体のそれぞれについて行うことができ、水蒸気の発生量を簡便な方法で制御することができる。実際には、計画した降雨量に合わせて、空気が充填される中空体の割合を決定すればよい。
【００１６】
本発明においては、前記発熱部材は、空気を充填することが可能な第２の中空体から形成することができる。
第２の中空体内に空気を充填すると、中空体は水面上に浮いて太陽光からの照射光エネルギーを吸収するとともに、中空体内の空気を抜くと畳み込まれた状態で水中に存在するため、太陽光からの照射熱を吸収しないようになる。そのため、水蒸気団を上昇させて人工降雨を発生させたいときだけ、中空体内に空気を充填して水面上に浮かせることにより、水蒸気団上昇制御装置として機能させることができる。
【００１７】
本発明においては、前記第２の中空体は、その表面に断熱材が設けられ、前記断熱材に対して彩色が施されているようにすることができる。
前記第２の中空体の表面に直接彩色してもよいが、第２の中空体の表面に断熱材が設けられ、前記断熱材に対して彩色が施されているようにすることによって、中空体内の空気や、中空体の下側に位置する水に熱が伝導されにくくなり、中空体の上方に位置する水蒸気を集中的に効率よく加熱することができる。そのため、水蒸気団の加熱上昇を効果的に行うことができる。
【００１８】
本発明においては、前記第２の中空体は複数設けられ、前記第２の中空体のそれぞれに空気挿入排出口が設けられ、前記第２の中空体のそれぞれに彩色が施されているようにすることができる。
状況に応じて、特定の中空体のみに空気を充填して発熱部材として機能させることができるため、空気を充填する中空体を選択するだけで水蒸気の加熱の程度を調整することができる。そのため、水蒸気団の必要な上昇高さに応じて、選択された中空体を発熱部材として使用することにより、簡便に水蒸気団の上昇高さを制御することができる。
【００１９】
本発明においては、所定の水域において、複数の前記水膜形成部材と前記発熱部材とが配設されるとともに、前記所定の水域とは異なる他の水域において、複数の前記水膜形成部材と非発熱部材とが配設されているようにすることができる。
【００２０】
所定の水域上で生成された水蒸気団は、発熱部材によって加熱されて上昇し、上昇到達高度に達すると水平方向に移動する。その一方で、前記所定の水域とは異なる他の水域上で生成された水蒸気団は、この水域の水面には非発熱部材が配置されているため加熱されない。そのため、前記所定の水域とは異なる他の水域上で生成された水蒸気団は上昇せず、所定の水域上で気圧が低下した空域に流れ込む。このようなメカニズムにより、異なる水域上において任意の方向に水蒸気団を移動させて気流を発生させることができる。
【００２１】
本発明の人工降雨の発生方法は、上述したいずれかの水蒸気団生成移動上昇装置を用いて、水蒸気団を含む大気を上昇、移動させて雨滴を生成し、人工降雨を降らせることを特徴とする。
本発明の水蒸気団生成移動上昇装置を用いると、水面上で水蒸気団を生成するばかりでなく、生成された水蒸気団を効果的に上昇、移動させることができるため、偶然に左右されずに、計画的に人工降雨を降らせることができる。
【発明の効果】
【００２２】
本発明によると、生成された水蒸気団を必要な方向に移動させ、あるいは必要な高さに上昇させるとともに、水蒸気団を生成するための毛細管の機能を持続させることが可能な水蒸気団生成移動上昇装置を実現することができ、この水蒸気団生成移動上昇装置を用いて人工降雨を効果的に発生させることができる。
【発明を実施するための最良の形態】
【００２３】
以下に、本発明をその実施形態に基づいて説明する。
図１に、本発明の水蒸気団生成移動上昇装置において用いられる水膜形成部材の第１実施形態を示す。
図１において、水膜形成部材１は、円柱状の柱体１ａの表面に毛細管作用を有するシート１ｂが装着されて形成されている。水膜形成部材１は、水よりも比重の小さい物質によって形成され、海水面や淡水面などの水面上に浮遊している。なお、水膜形成部材１の形状は、図１において図示する円柱状のものに限らず、球状などの形状であってもよい。また、シート１ｂは毛細管作用を有しているものであれば良く、綿布や麻布や多孔性のシート等を用いることができる。
【００２４】
水膜形成部材１の下部は水面下に浸漬しており、シート１ｂは毛細管作用によって水を吸収して上部側に吸い上げる。吸い上げられた水は、水膜となって水面より上方に位置するようになり、この水膜に対して太陽光が照射されて水蒸気が生成される。この水膜形成部材１は、薄い水膜を形成することができるため、太陽光の照射によって水膜を加熱して蒸発温度まで上昇させることが容易であり、水蒸気の生成を容易に行うことができる。このような水膜形成部材１を必要に応じて複数配置することによって、水蒸気団を生成することができる。
【００２５】
図２に、本発明の水蒸気団生成移動上昇装置において用いられる水膜形成部材の第２実施形態を示す。図２（ａ）は水膜形成部材の平面図であり、図２（ｂ）はその側面図である。
図２（ａ）において、水膜形成部材２は、空気の充填や排出が可能な中空体２ａが複数接着して形成された接合体２ｂの表面の大部分に、毛細管作用を有するシート２ｃが装着されて形成されている。ここでは、中空体２ａは直方体状の柱体として形成されているが、形状はこれに限定されず、例えば楕円柱状であってもよい。また、水膜形成部材２において、中空体２ａの接合体２ｂと毛細管作用を有するシート２ｃとを一体として形成してもよい。
【００２６】
中空体２ａにはそれぞれ空気挿入排出口として機能する空気栓２ｄが設けられており、この空気栓２ｄによって中空体２ａへの空気の充填や中空体２ａからの空気の排出がなされる。空気栓２ｄの近くには、空気栓２ｄを確実に水面上に浮かせるための中空体２ｅを設けることができる。この中空体２ｅを設けると、空気栓２ｄの開閉作業がしやすい。また、空気栓２ｄ付近に空気ポンプを装備して、遠隔操作により中空体２ａへの空気の出し入れを行うことができる。なお、図２には、中空体２ｅを中空体２ａの一端のみに設けたものを示しているが、中空体２ｅを中空体２ａの両端に設けることもできる。更に、中空体２ｅに空気栓を設けて空気の出し入れを行う構成とすることもできる。
【００２７】
この実施形態によると、水膜形成部材２によって薄い水膜を形成し、太陽光の照射によって水膜を蒸発温度まで上昇させて水蒸気の生成を行うことは第１実施形態と同様であるが、さらに、中空体２ａと空気栓２ｄの機能によって、中空体２ａから空気を抜いたときは、中空体２ａは水面下に沈んで太陽光が照射されにくくなり、水蒸気の発生が抑制されるため、水蒸気の発生量を制御することができる。
【００２８】
また、水膜形成部材２が水中に没することにより、水膜形成部材２に付着した塩分は水中で溶解するため、塩分を除去する作業を必要とせず、簡単な操作で水膜形成部材２の機能を持続させることができる。
中空体２ａは複数設けられているため、特定の中空体２ａのみから空気を抜くと、その中空体２ａが沈み込むため、水膜形成部材２による水蒸気発生量を制御することができる。また、全ての中空体２ａから空気を抜くと、水膜形成部材２の体積が小さくなり、柔軟になるため、折り込んで容易に移動させることができる。
【００２９】
このように、中空体２ａの全てに空気を入れた状態では、水膜形成部材２は水面上に平たく浮き、中空体２ａの全てから空気を抜くと、水膜形成部材２は水中に沈むが、水膜形成部材２が水中に沈んだときに、水膜形成部材２が水中で水平に広がっていると、水膜形成部材２が太陽光を遮断して、水膜形成部材２の下側に生息する水中植物や水中動物に太陽光が届かなくなり、これらの動植物に悪影響を与える可能性も考えられる。
【００３０】
このような事態が生じることを回避するためには、中空体２ａの一端に設けられた中空体２ｅに空気を満たしておくと、水膜形成部材２は、中空体２ｅが上方に位置し、その下側に空気が抜かれた中空体２ａが位置するようになり、水面に対して水膜形成部材２が垂直に浮かぶようになって、水膜形成部材２が太陽光を遮断することを抑制することができる。そのため、水膜形成部材２によって水中の動植物の生息に悪影響が出ることを防止できる。
【００３１】
水膜形成部材２の長さＬ１、幅Ｌ２、高さＬ３は、気象条件、地理的条件等を考慮して適宜定められる。一例として、Ｌ１を１００ｍ、Ｌ２を１ｍ、Ｌ３を０．１ｍとすることができる。
以上説明した水膜形成部材１、水膜形成部材２の表面の色彩は、太陽光による熱を効率的に吸収して水膜を蒸発させるという点からは黒色であることが好ましいが、状況に応じて適宜選択できる。
また、水膜形成部材２において、中空体２ａの接合体２ｂと毛細管作用を有するシート２ｃとの間に断熱シートを挿入して構成することも可能である。また、これらを一体として形成してもよい。
【００３２】
図３に、本発明の水蒸気団生成移動上昇装置を、上空側から見た平面図を示す。
図３において、水膜形成部材１と発熱部材１１とが一列ごとに交互に配置されて、水面上を浮遊している。水膜形成部材１は水蒸気団生成装置として機能するものであり、発熱部材１１は大気加熱制御装置として機能するものである。なお、水膜形成部材１と発熱部材１１の配置パターンは、図３に示すものに限定されず、水膜形成部材１の周囲に発熱部材１１が配置されていればよい。
以上の配置において、水膜形成部材１に替えて、第２実施形態による水膜形成部材２を配置してもよい。
【００３３】
図４に、本発明の水蒸気団生成移動上昇装置において用いられる発熱部材の第１実施形態を示す。図４（ａ）に、発熱部材１１の平面拡大図を示し、図４（ｂ）に、発熱部材１１の側面図を示す。
発熱部材１１の長さＬ４、幅Ｌ５、高さＬ６は、水膜形成部材１の寸法や、気象条件、地理的条件等を考慮して適宜定められる。一例として、Ｌ４を１００ｍ、Ｌ５を１ｍ、Ｌ６を０．１ｍとすることができる。
【００３４】
発熱部材１１はその表面に彩色が施されており、この発熱部材１１に太陽光が照射されて、太陽光からの光エネルギーが吸収されて熱に変換される。発熱部材１１は水膜形成部材１の周囲に配置されているため、水膜形成部材１によって生成された水蒸気は、発熱部材１１によって加熱され、上昇気流を生じて、上空に湿度の高い水蒸気団、すなわち雲を発生する。
【００３５】
人工降雨を効果的に発生させるためには、水蒸気団が上昇する高さを制御する必要があり、この上昇高さは、水蒸気団がどの程度加熱されるかに依存している。発熱部材１１がどのような色彩であるかによって発熱部材１１の光エネルギー吸収率は変わるため、発熱部材１１の色彩を考慮することによって、水蒸気団が発熱部材１１によって加熱される状況が変わる。すなわち、発熱部材１１は水蒸気団に対する加熱制御装置として機能し、その結果、水蒸気団の上昇高度を制御することができる。例えば、発熱部材１１に黒色を施すと、全ての波長帯域の可視光の光エネルギーを吸収するため、熱吸収率は最大となる。また、他の色にすると、その色以外の波長帯域の可視光の光エネルギーを吸収するため、それぞれの色に応じた光エネルギー吸収率とすることができる。
【００３６】
上空に達した水蒸気団は、冷却されて雨滴となって雨が降る。上空には気流が流れており、気流が存在する高さを検知すれば、その高さまで水蒸気団を上昇させて気流に乗せることができる。これにより、気流の流れる方向に位置する陸上においても人工雨を降らせることが可能である。このように、本発明によると、水蒸気団を生成することばかりでなく、生成された水蒸気団を所定の高さまで上昇させて雨滴を形成することまでを人工的に行うことができる点が、従来のものと大きく異なる点である。
【００３７】
図５に、本発明の水蒸気団生成移動上昇装置において用いられる発熱部材の第２実施形態を示す。
図５（ａ）は、発熱部材１５を上空側から見た平面図を示し、図５（ｂ）は、その側面図である。この実施形態においても、発熱部材１５の長さＬ４、幅Ｌ５、高さＬ６は、水膜形成部材１の寸法や、気象条件、地理的条件等を考慮して適宜定められる。一例として、Ｌ４を１００ｍ、Ｌ５を１ｍ、Ｌ６を０．１ｍとすることができる。
図５（ａ）において、発熱部材１５は、空気を充填することが可能な複数の中空体１６が組み合わされて形成されており、それぞれの中空体１６には、空気挿入排出口として機能する空気栓１７が設けられている。
【００３８】
中空体１６に空気が充填された状態では、中空体１６は水面に浮かんでおり、中空体１６の表面に太陽光が照射されて、光エネルギーから変換された熱によってその周囲の水蒸気が加熱されて上昇する。また、空気栓１７を操作して全ての中空体１６内の空気を抜くと、中空体１６は小さく折畳まれて水中に没する。従って、このときは中空体１６には太陽光が照射されず、発熱部材１５として機能しない。このように、中空体１６の空気栓１７の操作を行うだけで、中空体１６を必要なときだけ発熱部材１５として機能させることができる。空気栓１７の開閉操作は、遠隔制御装置を設けて無線により制御することが可能である。
【００３９】
複数の中空体１６には、同一の彩色を施すこともできるが、それぞれの中空体１６に異なる彩色を施すことも可能である。彩色が異なれば、中空体１６に対して太陽光が照射されたときに、光エネルギーとして吸収される光エネルギー吸収率が変わるため、特定の色彩の中空体１６には空気を充填し、他の中空体１６からは空気を抜くと、空気を抜かれた中空体１６は、空気が充填された中空体１６からの側圧によって萎んでしまい、発熱部材１５として機能しなくなる。そのため、状況に応じて特定の色彩の中空体１６のみを発熱部材１５として機能させて、発熱部材１５によって水蒸気団が受ける吸熱量を調整することができる。
【００４０】
図６に、中空体の表面に断熱材を設けた例を示す。
図６においては、中空体１６の表面に断熱材からなる断熱シート１８が設けられ、断熱材１８に対して彩色が施されている。断熱シート１８によって、太陽光照射によって発生する熱は、中空体１６内の空気や、中空体１６の下側に位置する水に伝導されにくくなり、中空体１６の上方に位置する水蒸気を効率よく加熱することができる。
図６においては、中空体１６の上部表面のみに断熱シート１８を設けているが、中空体１６の全表面に断熱シート１８を設けてもよい。
【００４１】
図７に、水膜形成部材と発熱部材を配置した水蒸気団生成移動上昇装置の一例を示す。
図７において、複数の水膜形成部材１と発熱部材１１は、枠体２１の内部に配設されて、枠体２１内で水面２３上を浮遊している。枠体２１は水底２４に固定されたアンカー２２に連結されて、水流により漂流しないようになっている。水膜形成部材１と発熱部材１１を別の場所に移動させたいときは、アンカー２２を取り外すことにより、水膜形成部材１と発熱部材１１を枠体２１とともに移動させることができる。
また、簡便に漂流を防止するためには、水膜形成部材１と発熱部材１１とを網で覆い、錨につなぐことによっても可能である。
以上の配置において、水膜形成部材１に替えて水膜形成部材２を配置してもよく、発熱部材１１に替えて発熱部材１５を配置してもよい。
【００４２】
図８に、水膜形成部材と発熱部材を配置した水蒸気団生成移動上昇装置の他の例を示す。
図８において、水域Ａに、複数の水膜形成部材１と発熱部材１１とが、枠体２１の内部に配設されて、枠体２１内で水面２３上を浮遊している。その一方で、水域Ａとは離れた水域Ｂに、複数の水膜形成部材１と非発熱部材３０とが、枠体２１の内部に配設されて、枠体２１内で水面２３上を浮遊している。枠体２１は水底２４に固定されたアンカー２２に連結されて、水流により漂流しないようになっている。
【００４３】
非発熱部材３０は、図３から図６に基づいて説明した発熱部材１１または発熱部材１５と同一の構造物に対して、太陽光の反射率の高い色彩に彩色したものであって、例えば、アルミ箔を付着させる等によって銀白色としたものである。銀白色は太陽光をほとんど反射するため、太陽光エネルギーは熱に変換されず、そのため、非発熱部材３０が配置されている水域では、周囲の大気は加熱されない。
【００４４】
水域Ａ上に生成される水蒸気団Ｃは、発熱部材１１によって加熱されて上昇し、上昇到達高度に達すると水平方向に移動する。その一方で、水域Ｂ上にも水蒸気団Ｄが生成されるが、この水域Ｂの水面には非発熱部材３０が配置されているため、水蒸気団Ｄは加熱されない。そのため、水蒸気団Ｄは上昇せず、水域Ａ上で水蒸気団Ｃが上昇した後の気圧が低下した空域に流れ込む。このようなメカニズムにより、水域Ａ上と水域Ｂ上との間で気流を形成することができる。水域Ａと水域Ｂをどのように定めるかは任意であるため、この方法により、任意の方向に水蒸気団を移動させて気流を発生させ、人工降雨を降らせることができる。
【００４５】
この例において、水域Ａ上で発生した水蒸気団を顕著に上昇させたいときは、発熱部材１１の色を黒色にすればよく、水蒸気団を上昇させたい高度に応じて、発熱部材１１の色は適宜定めることができる。
以上の配置においても、水膜形成部材１に替えて水膜形成部材２を配置してもよく、発熱部材１１に替えて発熱部材１５を配置してもよい。
【産業上の利用可能性】
【００４６】
本発明は、効果的に人工降雨を発生させることができる装置として、干ばつ対策などに広く利用することができる。
【図面の簡単な説明】
【００４７】
【図１】本発明の水蒸気団生成移動上昇装置において用いられる水膜形成部材の第１実施形態を示す図である。
【図２】本発明の水蒸気団生成移動上昇装置において用いられる水膜形成部材の第２実施形態を示す図である。
【図３】本発明の水蒸気団生成移動上昇装置を示す図である。
【図４】発熱部材の第１実施形態を示す図である。
【図５】発熱部材の第２実施形態を示す図である。
【図６】中空体の表面に断熱材を設けた例を示す図である。
【図７】水膜形成部材と発熱部材を配置した水蒸気団生成移動上昇装置の一例を示す図である。
【図８】水膜形成部材と発熱部材を配置した水蒸気団生成移動上昇装置の他の例を示す図である。
【符号の説明】
【００４８】
１  水膜形成部材
１ａ  柱体
１ｂ  シート
２  水膜形成部材
２ａ  中空体
２ｂ  接合体
２ｃ  シート
２ｄ  空気栓
２ｅ  中空体
１１  発熱部材
１５  発熱部材
１６  中空体
１７  空気栓
１８  断熱シート
２１  枠体
２２  アンカー
２３  水面
２４  水底
３０  非発熱部材  
Ａ、Ｂ  水域
Ｃ、Ｄ  水蒸気団
【図１】
0005164682.tif 000002
【図２】
0005164682.tif 000003
【図３】
0005164682.tif 000004
【図４】
0005164682.tif 000005
【図５】
0005164682.tif 000006
【図６】
0005164682.tif 000007
【図７】
0005164682.tif 000008
【図８】
0005164682.tif 000009